(57)【要約】【課題】簡易な構造で股幅を調節するができる子守帯を提供すること。【解決手段】子守帯は、乳幼児を包み込む子守帯本体（５０，６０）と、子守帯本体に連結される一対のループ状肩ベルト（３０，４０）と、子守帯本体の下端部に連結される腰ベルト（７０）と、子守帯本体の下方部分の両側縁部および腰ベルトに接続された股幅調節部材（１００Ａ）とを備える。股幅調節部材は、幅方向の中央領域において縦方向に延びる折り曲げ線（５５４，６６４）を含み、股幅調節部材を広げた状態では股幅寸法が大きくなり、股幅調節部材を折り曲げ線に沿って折り畳んだ状態では股幅寸法が小さくなる。【選択図】図２０
2019076629.tif 000002
【特許請求の範囲】
【請求項１】
乳幼児を包み込む子守帯本体と、
前記子守帯本体に連結される一対のループ状肩ベルトと、
前記子守帯本体の下端部に連結される腰ベルトと、
前記子守帯本体の下方部分の両側縁部および前記腰ベルトに接続された股幅調節部材とを備え、
前記股幅調節部材は、幅方向の中央領域において縦方向に延びる折り曲げ線を含み、
前記股幅調節部材を広げた状態では股幅寸法が大きくなり、前記股幅調節部材を前記折り曲げ線に沿って折り畳んだ状態では股幅寸法が小さくなる、子守帯。
【請求項２】
前記子守帯本体は、上方に位置する幅広部分と、下方に位置する幅狭部分とを含み、
前記股幅調節部材は、前記子守帯本体の幅狭部分の両側縁部に沿って設けられている、請求項１に記載の子守帯。
【請求項３】
前記股幅調節部材は、底辺と頂点とを有する湾曲した三角形状を有し、
前記股幅調節部材の底辺が前記腰ベルトに縫着されており、
前記折り曲げ線は、その上下端が股幅調節部材の外側縁に交差する湾曲線である、請求項１または２に記載の子守帯。
【請求項４】
前記股幅調節部材は、前記折り曲げ線の内方に位置する内方領域と、前記折り曲げ線の外方に位置する外方領域とを含み、
前記外方領域は、芯材により形成されている、請求項３に記載の子守帯。
【発明の詳細な説明】
【技術分野】
【０００１】
この発明は、子守帯に関し、特に、縦抱きに使用可能な子守帯に関する。
【背景技術】
【０００２】
従来から、乳幼児の身体を略垂直に立たせた縦抱き状態で使用可能な子守帯において、乳幼児の股が当接する部分を乳幼児の股幅に合わせて調節することが知られている。たとえば、特表２０１３−５００５５号公報（特許文献１）には、股当て部に取り付けられた左右一対の環状部材に紐を通し、紐を引き締めることにより股幅間隔を狭くすることが可能な子守帯が開示されている。
【０００３】
また、特開２０１４−１７６４９３号公報（特許文献２）には、左右に分かれて設けられたファスナにより股幅調節手段が形成され、ファスナを連結すると股幅が狭くなり、ファスナを分離すると股幅を広く調節することが可能な子守帯が開示されている。
【先行技術文献】
【特許文献】
【０００４】
【特許文献１】特表２０１３−５００５５号公報
【特許文献２】特開２０１４−１７６４９３号公報
【発明の概要】
【発明が解決しようとする課題】
【０００５】
特許文献１に開示されている子守帯では、股幅を調節するために、紐を引き締める必要がある。また、特許文献２に開示されている子守帯では、股幅を調節するために、ファスナを連結させたり分離させる必要がある。つまり、特許文献１，２のいずれの子守帯も、股幅を調節するための構造が複雑であった。
【０００６】
本発明は、上記のような課題を解決するためになされたものであって、その目的は、簡易な構造で股幅を調節するができる子守帯を提供することを目的とする。
【課題を解決するための手段】
【０００７】
この目的のため本発明の一態様に係る子守帯は、乳幼児を包み込む子守帯本体と、子守帯本体に連結される一対のループ状肩ベルトと、子守帯本体の下端部に連結される腰ベルトと、子守帯本体の下方部分の両側縁部および腰ベルトに接続された股幅調節部材とを備え、股幅調節部材は、幅方向の中央領域において縦方向に延びる折り曲げ線を含み、股幅調節部材を広げた状態では股幅寸法が大きくなり、股幅調節部材を折り曲げ線に沿って折り畳んだ状態では股幅寸法が小さくなる。
【０００８】
好ましくは、子守帯本体は、上方に位置する幅広部分と、下方に位置する幅狭部分とを含み、股幅調節部材は、子守帯本体の幅狭部分の両側縁部に沿って設けられている。
【０００９】
好ましくは、股幅調節部材は、底辺と頂点とを有する湾曲した三角形状を有し、股幅調節部材の底辺が腰ベルトに縫着されており、折り曲げ線は、その上下端が股幅調節部材の外側縁に交差する湾曲線である。
【００１０】
好ましくは、股幅調節部材は、折り曲げ線の内方に位置する内方領域と、折り曲げ線の外方に位置する外方領域とを含み、外方領域は、芯材により形成されている。
【発明の効果】
【００１１】
本発明によれば、簡易な構造で股幅を調節するができる子守帯を提供することができる。
【図面の簡単な説明】
【００１２】
【図１】本発明の実施の形態１に係る子守帯の特徴を示す模式図である。
【図２】本発明の実施の形態１に係る子守帯を前面側から見た外観図である。
【図３】本発明の実施の形態１に係る子守帯を後面側から見た外観図である。
【図４】本発明の実施の形態１に係る子守帯を後面側から見た外観図である。
【図５】図２中に示した長さ調節部を拡大して示す図である。
【図６】図５の線ＶＩ−ＶＩに沿って見た断面図である。
【図７】着用者に親側装着具を装着した状態を正面側から見た外観図である。
【図８】着用者に親側装着具を装着した状態を背面側から見た外観図である。
【図９】乳幼児保持具を前面側から見た外観図である。
【図１０】乳幼児保持具を後面側から見た外観図である。
【図１１】乳幼児を乳幼児保持具上に保持した状態を示す外観図である。
【図１２】縦抱きをするための手順を示す図であって、腰ベルトを着用者の腰に装着した状態を示す外観図である。
【図１３】図１２に示す状態から、右肩ベルトを着用者の肩に掛けた状態を示す外観図である。
【図１４】図１３に示す状態から、乳幼児保持具に保持された乳幼児を着用者と右前身頃部材との間に挿入した状態を示す外観図である。
【図１５】図１４に示す状態から、左肩ベルトを着用者の肩に掛けて、第１連結部と第３連結部を連結した状態示す外観図である。
【図１６】斜め抱きをするための手順を示す図であって、腰ベルトを着用者の腰に装着した状態を示す外観図である。
【図１７】図１６に示す状態から、両肩ベルトを着用者の肩に掛けた状態を示す外観図である。
【図１８】図１７に示す状態から、乳幼児保持具に保持された乳幼児を右前身頃部材と左前身頃部材の間に挿入した状態を示す外観図である。
【図１９】図１８に示す状態から、第３連結部と第４連結部を連結した状態示す外観図である。
【図２０】本発明の実施の形態２に係る子守帯を前面側から見た外観図である。
【図２１】本発明の実施の形態２に係る子守帯を後面側から見た外観図である。
【図２２】着用者に親側装着具を装着した状態を正面側から見た図であって、股幅調節部材を広げた状態を示す外観図である。
【図２３】着用者に親側装着具を装着した状態を正面側から見た図であって、股幅調節部材を折り畳んだ状態を示す外観図である。
【発明を実施するための形態】
【００１３】
本明細書において、「縦抱き」状態とは、乳幼児の身体を略垂直に立たせた状態を意味し、乳幼児の頭を上にして乳幼児の足を下にして保持する状態である。縦抱き状態は、おんぶおよびだっこのいずれであってもよい。だっこは、対面だっこおよび前向きだっこのいずれであってもよい。また、「斜め抱き」状態とは、乳幼児の頭が胴体よりも上方に位置するように寝かせた状態を意味し、乳幼児の頭と足が子守帯の着用者の左右方向になるように、着用者の胴部に隣接して支持する状態である。
【００１４】
また、本明細書において、内側とは、子守帯の装着時に着用者側に位置する面を意味する。外側とは、子守帯の装着時に内側とは反対側に位置する面を意味する。
【００１５】
本発明の実施の形態について図面を参照しながら詳細に説明する。なお、図中同一または相当部分には同一符号を付してその説明は繰り返さない。
【００１６】
＜子守帯の特徴について＞
本実施の形態の子守帯１は、図１〜図８に示すように、乳幼児を担ぐ着用者（たとえば、親）に装着される親側装着具２を備える。子守帯１は、図９〜図１１に示すように、乳幼児の胴部を保持する乳幼児保持具８をさらに備えてもよい。この場合、親側装着具２と乳幼児保持具８とは、分離して設けられ、後述する第３連結部、第４連結部で連結される。本実施の形態の子守帯１は、縦抱きおよび斜め抱きに使用することができる。以下、親側装着具２と乳幼児保持具８について詳細に説明する。
【００１７】
親側装着具２および乳幼児保持具８の詳細な説明に先立ち、図１を参照して、本実施の形態の子守帯の特徴について説明する。
【００１８】
本実施の形態の子守帯は、右前見頃部材および左前身頃部材と、右肩ベルトおよび左肩ベルトと、腰ベルトと、第１連結部とを備える。第１連結部は、右前見頃部材と左前身頃部材とを連結している。縦抱きの場合には、右前身頃部材と左前身頃部材を重ねた状態で、右前身頃部材と着用者の間に乳幼児を保持する。斜め抱きの場合には、右前身頃部材と左前身頃部材の間に乳幼児を保持する。
【００１９】
＜実施の形態１＞
（親側装着具について）
図２〜図８を参照して、親側装着具２について詳細に説明する。以下の親側装着具２の説明において、左右方向および上下方向は、それぞれ、図２の紙面上の左右方向および上下方向を基準とする。
【００２０】
親側装着具２は、着用者の肩に掛けられるループ状の右肩ベルト３０および左肩ベルト４０と、右肩ベルト３０の両端部に連結される右前身頃部材５０と、左肩ベルト４０の両端部に連結される左前身頃部材６０と、右前身頃部材５０および左前身頃部材６０の下端部に連結される腰ベルト７０と、右前身頃部材５０および左前身頃部材６０を重ね合わせた状態で連結する第１連結部とを備える。
【００２１】
まず、右前身頃部材５０について説明する。右前身頃部材５０は、たとえば、布製材料によって構成されている。右前身頃部材５０は、装着時において、着用者の胴部の前面、たとえば、着用者の胸部または腹部の前面に位置する。図３に示すように、右前身頃部材５０は、上方に位置する幅広部分５１と、下方に位置する幅狭部分５２とを含む。幅狭部分５２の略中央位置には、切欠きが形成されており、その切欠き部分には、メッシュ生地５７が縫い付けられている。
【００２２】
図２に示すように、幅広部分５１の表面には、右前身頃部材５０および左前身頃部材６０を重ね合わせた状態で連結する第１連結部が設けられている。具体的には、第１連結部は、幅広部分５１の略右上方に位置する第１係合部５３と、後述する第１被係合部６３である。
【００２３】
図３に示すように、幅広部分５１は、左肩ベルト４０に向かって張り出す張り出し部５１０を含む。張り出し部５１０の先端部には、左肩ベルト４０と連結する第２連結部が設けられている。具体的には、第２連結部は、左肩ベルト４０を取り囲むループ部材５６である。ループ部材５６は、たとえば、帯状部材により形成されており、ループ部材５６の両端が右前身頃部材５０の張り出し部５１０の先端に連結される。これにより、ループ部材５６の孔部と左肩ベルト４０との間には隙間が形成され、ループ部材５６は第２ベルト４２に沿って移動可能となる。
【００２４】
幅狭部分５２は、装着時において、乳幼児の臀部または腿部などを保持する部分である。図３に示すように、着用者から見た内側において、幅狭部分５２の下方が第３面ファスナ５９で形成されている。幅広部分５１の下端部には、股幅調節部材１００が設けられている。股幅調節部材１００は、幅広部分５１の下端から腰ベルト７０に向かって突出する第１股支持部５５を含む。第１股支持部５５の腰ベルト７０と対向する面には、第１面ファスナ５８が設けられている。第１股支持部５５と第１面ファスナ５８とは、薄い布材で形成される補助布５４で連結されている。股幅調節部材１００については、後述する。
【００２５】
次に、左前身頃部材６０について説明する。左前身頃部材６０は、右前身頃部材５０と略対称に設けられており、右前身頃部材５０と重ね合わされている。右前身頃部材５０と同様に、左前身頃部材６０は、たとえば、布製材料によって構成されている。左前身頃部材６０は、装着時において、着用者の胴部の前面、たとえば、着用者の胸部または腹部の前面に位置する。右前身頃部材５０は、装着時において、着用者から見て内側に位置する。これに対し、左前身頃部材６０は、装着時において、着用者から見て外側に位置する。図２に示すように、左前身頃部材６０は、上方に位置する幅広部分６１と、下方に位置する幅狭部分６２とを含む。幅広部分６１の略中央位置には、貫通孔が形成されており、貫通孔には、メッシュ生地６７が縫い付けられている。右前身頃部材５０のメッシュ生地５７と、左前身頃部材６０のメッシュ生地６７は、着用者から見て内外方向において重なっている。このため、右前身頃部材５０と左前身頃部材６０とが重なっていても、通気性を確保することができる。
【００２６】
図２に示すように、幅広部分６１は、右肩ベルト３０に向かって張り出す張り出し部６１０を含む。張り出し部６１０の先端部には、右前身頃部材５０および左前身頃部材６０を重ね合わせた状態で連結する第１連結部としての第１被係合部６３が設けられている。具体的には、第１被係合部６３は、上述した右前身頃部材５０の第１係合部５３と係合する。つまり、第１連結部は、右前身頃部材５０の張り出し部５１０の第１係合部５３と、左前身頃部材６０の第１被係合部６３とを連結するものである。
【００２７】
幅狭部分６２は、装着時において、乳幼児の臀部または腿部などを保持する部分である。幅広部分６１の下端部には、股幅調節部材１００が設けられている。図３，４に示すように、股幅調節部材１００は、幅広部分６１の下端から腰ベルト７０に向かって突出する第２股支持部６５を含む。第２股支持部６５の腰ベルト７０と対向する面には、第１面ファスナ６８が設けられている。第２股支持部６５と幅狭部分６２とは、薄い布材で形成される補助布６４で連結されている。股幅調節部材１００については、後述する。
【００２８】
次に、右肩ベルト３０について説明する。図２に示すように、右肩ベルト３０は、上方に位置し、親の肩に掛けられる第１ベルト３１と、第１ベルト３１の下端部に長さ調整可能に連結されている第２ベルト３２と、第１ベルト３１と右前身頃部材５０とを長さ調整可能に連結する長さ調節部３４とから構成されている。第１ベルト３１は、長さ調節部３４を介して、右前身頃部材５０の右上端に縫い付けられている。第２ベルト３２の下端は、右前身頃部材５０の右側端に縫い付けられている。これにより、右肩ベルト３０は、ループ状に右前身頃部材５０に取り付けられる。
【００２９】
第１ベルト３１は、使用時において、着用者の左肩に掛け渡されるため適度な弾性を有する材料によって構成されている。また、第２ベルト３２の長さを調整することによって、右肩ベルト３０の長さを着用者の体型に適合させることができる。
【００３０】
図５，図６を参照して、長さ調節部３４について説明する。左肩ベルト４０の長さ調節部３４は、連結部３４０と、覆い部３４１と、長さ調節ベルト３４２と、長さ調節フック３４３とを含む。連結部３４０は、第１ベルト３１と右前身頃部材５０とを連結する袋状の部材である。覆い部３４１は、第１ベルト３１と連結部３４０の連結箇所を外方から覆っている。長さ調節ベルト３４２は、その下方端が右前身頃部材５０に連結されており、連結部３４０内を貫通している。長さ調節フック３４３は、固定部３４４により第１ベルト３１に連結されており、上方が覆い部３４１により覆われているため、下方だけが外方から視認できる。長さ調節ベルト３４２は、連結部３４０と第１ベルト３１との間の貫通孔３４５を通り、長さ調節フック３４３の孔を通っている。
【００３１】
長さ調節ベルト３４２を、図５（ａ）に示す状態から図５（ｂ）に示す状態に引っ張ることで、連結部３４０の長さを短くすることができる。これにより、着用者の胴部の長さに合わせて、右前身頃部材５０の高さ位置を調節することができる。また、長さ調節ベルト４４２が連結部４４０に覆われているため、連結部４４０の長さを短くしても、図５（ｂ）に示すように、連結部４４０にしわができるだけで、子守帯の外観はほとんど変わらないため、子守帯の意匠性も向上させることができる。
【００３２】
右肩ベルト３０と同様に、左肩ベルト４０は、図２に示すように、上方に位置し、親の肩に掛けられる第１ベルト４１と、第１ベルト４１の下端部に長さ調整可能に連結されている第２ベルト４２と、第１ベルト４１と左前身頃部材６０とを長さ調整可能に連結する長さ調節部４４とから構成されている。第１ベルト４１は、長さ調節部４４を介して、左前身頃部材６０の左上端に縫い付けられている。第２ベルト４２の下端は、左前身頃部材６０の左側端に縫い付けられている。これにより、左肩ベルト４０は、ループ状に左前身頃部材６０に取り付けられる。
【００３３】
第１ベルト４１は、使用時において、着用者の右肩に掛け渡されるため適度な弾性を有する材料によって構成されている。また、第２ベルト４２の長さを調整することによって、左肩ベルト４０の長さを着用者の体型に適合させることができる。
【００３４】
図５，図６を参照して、長さ調節部４４について説明する。左肩ベルト４０の長さ調節部４４は、右肩ベルト３０の長さ調節部３４と同様の構成であるため、図５，６において、括弧書きで示している。長さ調節部４４は、連結部４４０と、覆い部４４１と、長さ調節ベルト４４２と、長さ調節フック４４３とを含む。連結部４４０は、第１ベルト４１と左前身頃部材６０とを連結する袋状の部材である。覆い部４４１は、第１ベルト４１と連結部４４０の連結箇所を外方から覆っている。長さ調節ベルト４４２は、その下方端が左前身頃部材６０に連結されており、連結部４４０内を貫通している。長さ調節フック４４３は、固定部４４４により第１ベルト３１に連結されており、上方が覆い部４４１により覆われているため、下方だけが外方から視認できる。長さ調節ベルト４４２は、連結部４４０と第１ベルト３１との間の貫通孔４４５を通り、長さ調節フック４４３の孔を通っている。
【００３５】
長さ調節ベルト４４２を、図５（ａ）に示す状態から図５（ｂ）に示す状態に引っ張ることで、連結部４４０の長さを短くすることができる。これにより、左前身頃部材６０の高さ位置を調節することができる。また、長さ調節ベルト４４２が連結部４４０に覆われているため、連結部４４０の長さを短くしても、図５（ｂ）に示すように、連結部４４０にしわができるだけで、子守帯の外観はほとんど変わらないため、子守帯の意匠性も向上させることができる。
【００３６】
右肩ベルト３０と左肩ベルト４０との間の距離を適宜に保持し、親の肩から肩ベルト３０，４０が滑り落ちることを防止するためのブリッジベルト３５を有する。図２を参照して、ブリッジベルト３５の右端は、右肩ベルト３０に取り付けられる帯体３５２と、帯体３５２に取り付けられる雌バックル３５０とを含む。ブリッジベルト３５の左端は、左肩ベルト４０に取り付けられる帯体３５３と、帯体３５３に取り付けられる雄バックル３５１とを含む。帯体３５２，３５３は、第１ベルト３１，４１の延在方向に対して多少スライド移動可能となるように、第１ベルト３１，４１にそれぞれ取り付けられている。図８に示すように、ブリッジベルト３５は、着用者の背中側において連結される。なお、ブリッジベルト３５は、右肩ベルト３０と左肩ベルト４０に分離可能となるように設けられておらず、右肩ベルト３０と左肩ベルト４０とが連結されていてもよい。
【００３７】
次に、腰ベルト７０について説明する。図２〜図４を参照して、腰ベルト７０は、右前身頃部材５０および左前身頃部材６０の下端部に連結され、着用者の腰に装着される。腰ベルト７０は、左右方向に延在し、親の腰に巻かれる第１腰当て部７１および第２腰当て部７２と、第１腰当て部７１および第２腰当て部７２を連結した腰帯体７５と、第１腰当て部７１の端部に設けられた雌バックル７３と、第２腰当て部７２の端部に設けられた雄バックル７４を有する。第１腰当て部７１の左右方向中央部の上端が、右前身頃部材５０の下端部および左前身頃部材６０の下端部に縫い付けられて連結されている。第１腰当て部７１および第２腰当て部７２は、使用時において、着用者の腰に掛け渡されるため、適度な弾性を有する材料によって構成されている。
【００３８】
図４に示すように、第１腰当て部７１には、着用者から見た内側において、一対の第２面ファスナ７１０，７１１が設けられている。第２面ファスナ７１０は、上述した第１股支持部５５の第１面ファスナ５８と連結し、第２面ファスナ７１１は、上述した第２股支持部６５の第１面ファスナ６８と連結する。
【００３９】
ここで、股幅調節部材１００について説明する。図３，図４を参照して、股幅調節部材１００は、第１股支持部５５と、第２股支持部６５と、第１面ファスナ５８，６８と、第１腰当て部７１の第２面ファスナ７１０，７１１と、右前身頃部材５０の第３面ファスナ５９とを含む。
【００４０】
図３に示すように、第１股支持部５５の第１面ファスナ５８と第１腰当て部７１の第２面ファスナ７１０が連結し、第２股支持部６５の第１面ファスナ６８と第１腰当て部７１の第２面ファスナ７１１が連結した状態では、股幅寸法Ｌ１が大きくなる。これに対し、図４に示すように、第１股支持部５５の第１面ファスナ５８と右前身頃部材５０の第３面ファスナ５９が連結し、第２股支持部６５の第１面ファスナ６８と右前身頃部材５０の第３面ファスナ５９が連結した状態では、股幅寸法Ｌ２が小さくなる。このように、股幅調節部材１００を用いることで、第１，２股支持部５５，６５の連結箇所を変えるだけで股幅寸法を変えることができ、体の小さい乳幼児（乳児）の場合は、股幅寸法を小さくし、斜め抱きの場合、または、体の大きい乳幼児（幼児）の場合は、股幅寸法を大きくすることができる。
【００４１】
（乳幼児保持具について）
次に、図９，図１０を用いて、本発明の実施の形態における乳幼児保持具８について説明する。以下の乳幼児保持具８の説明において、左右方向および上下方向は、それぞれ、図９の紙面上の左右方向および上下方向を基準とする。
【００４２】
乳幼児保持具８は、保持する乳幼児の背を背後から支持する背当て部８０と、背当て部８０の下方に連なり乳幼児の足部を下方から支持する一対の足当て部８１と、一対の足当て部８１の下方に連なり乳幼児の下腹部を前方から支持する前当て部８２とを有する。乳幼児保持具８は、たとえば、布製部材によって構成されている。この布製部材は、クッション材料を内包していてもよい。また、乳幼児保持具８は、広がりを持った薄い形状を有し、自在に屈曲することができる。乳幼児保持具８の中央位置には、貫通孔が設けられており、貫通孔はメッシュ生地８９により覆われている。
【００４３】
ここで、図９を特に参照して、背当て部８０の上端部について詳しく説明する。背当て部８０の上端部は、右方に向かって突出する右上端部８０２と、左方に向かって突出する左上端部８０１と、右上端部８０２から下方に間隔をあけて設けられ、右方に向かって突出する右腕部８８と、左上端部８０１から下方に間隔をあけて設けられ、左方に向かって突出する左腕部８７とを有する。右上端部８０２と右腕部８８とは固定部８０４により固定されており、左上端部８０１と左腕部８７とは、固定部８０３により固定されている。これにより、背当て部８０の上端部において、右腕部８８および左腕部８７がループすることにより、貫通孔が形成される。
【００４４】
背当て部８０の上端部には、左右方向に延びる連結ベルト９０が取り付けられている。連結ベルト９０は、固定部８０３，８０４内を貫通している。連結ベルト９０の両端部には、第３連結部が設けられている。具体的には、乳幼児保持具８には、親側装着具２の右肩ベルト３０に設けられる第３係合部３３と連結する第３被係合部９２と、親側装着具２の左肩ベルト４０に設けられる第３係合部４３と連結する第３被係合部９１とが設けられている。第３被係合部９１，９２は、連結ベルト９０に貫通されているため、長さ調節可能である。また、連結ベルト９０の中央位置には、親側装着具２と連結する第４連結部が設けられている。具体的には、第４連結部は、斜め抱きの場合において、左前身頃部材６０の第１被係合部６３と連結する第４係合部９３であり、第４係合部９３は、連結ベルト９０上に取り付けられている。
【００４５】
前当て部８２の右下側には、下述する雌バックル８６と連結する雄バックル８４が、右方へ向けて突出するように設けられている。また、前当て部８２の左下側には、下述する雌バックル８５と連結する雄バックル８３が、左方へ向けて突出するように設けられている。
【００４６】
背当て部８０の上下方向中央部の右側側部には、前当て部８２の右下側に設けられた雄バックル８４と連結する雌バックル８６が、右方へ向けて突出するように設けられている。また、背当て部８０の上下方向中央部の左側側部には、前当て部８２の左下側に設けられた雄バックル８３と連結する雌バックル８５が、左方へ向けて突出するように設けられている。
【００４７】
足当て部８１は、外方に向かって延出しており、乳幼児の足部を下方から支持する。足当て部８１は、適度な弾性を有する芯材（図示せず）を内部に含む。この芯材によって、使用時に乳幼児の足股にかかる負荷を軽減させ、乳幼児の快適性を向上させることができる。
【００４８】
＜子守帯の装着方法について＞
（乳幼児保持具の包み込み方法について）
図１１は、乳幼児を乳幼児保持具８上に保持した状態を示す外観図である。乳幼児を乳幼児保持具８に包み込む方法を説明する。
【００４９】
図１１に示すように、乳幼児を乳幼児保持具８上に寝かせ、乳幼児保持具８の前当て部８２を乳幼児のお腹付近に被せる。上下方向中央部の雌バックル８５と、下側の雄バックル８３とを連結する。さらに、上下方向中央部の雌バックル８６と下側の雄バックル８４とを連結する。これにより、乳幼児の胴部を乳幼児保持具８で保持することができる。
【００５０】
（縦抱きについて）
図１２〜図１５を参照して、縦抱きの対面だっこをする方法について説明する。
【００５１】
縦抱きは、たとえば、首すわり後の乳幼児に対して行う。縦抱きする場合には、首すわり後の体の小さい乳幼児（乳児）の場合と、ある程度大きくなった乳幼児（幼児）の場合とでは、親側装着具２を親に装着する前の手順が異なる。乳児の場合は、股幅が小さいため、股幅調節部材１００の股幅寸法を小さくする必要がある。具体的には、第１股支持部５５の第１面ファスナ５８と右前身頃部材５０の第３面ファスナ５９を連結させ、第２股支持部６５の第１面ファスナ６８と右前身頃部材５０の第３面ファスナ５９を連結させる。これにより、股幅調節部材１００の股幅寸法を小さくすることができる。幼児の場合については、後述する。
【００５２】
このように、股幅調節部材１００の股幅寸法を小さくした状態で、親の腰に腰ベルト７０の第１腰当て部７１を当て、雌バックル７３および雄バックル７４を連結して、腰ベルト７０を装着する。腰ベルト７０以外の親側装着具２は、すべて腰ベルト７０の前方から垂れ下がっている状態である。この場合、ブリッジベルト３５の雌バックル３５０と雄バックル３５１は、連結させておく。
【００５３】
次に、図１３に示すように、右肩ベルト３０を着用者の左肩に掛けて、右前身頃部材５０を着用者の胴部の前面に配置させる。左肩ベルト４０は右肩に掛けないで下した状態にしておく。この状態のまま、乳幼児保持具８で包み込んだ乳幼児を抱きかかえる。
【００５４】
図１４に示すように、乳幼児保持具８で胴部が保持された乳幼児を、着用者と右前身頃部材５０との間に挿入する。この場合、図１２に示すように、ループ部材５６（第２連結部）は、乳幼児の体の大きさに合わせて第２ベルト４２に沿って移動する。さらに、左肩ベルト４０が下方に下がったままであるため、着用者と右前身頃部材５０との間の空間を広くしやすい。これにより、乳幼児を簡単に着用者と右前身頃部材５０との間に挿入することが可能である。乳幼児を着用者と右前身頃部材５０との間に挿入した後、左肩ベルト４０を着用者の右肩に掛ける。
【００５５】
図１５に示すように、乳幼児保持具８の上方部分と、一対の肩ベルト３０，４０の一方端部分とを第３連結部で連結させる。具体的には、右肩ベルト３０に取り付けられる第３係合部３３と、乳幼児保持具８の連結ベルト９０の先端部に取り付けられる第３被係合部９２とを連結させる。長さ調節部３４の長さ調節ベルト３４２（図５）を調節することにより、右前身頃部材５０の高さ位置を調整することが可能である。
【００５６】
同様に、左肩ベルト４０に取り付けられる第３係合部４３と、乳幼児保持具８の左腕部８７から延びる連結ベルト９０の先端部に取り付けられる第３被係合部９１とを連結させる。具体的には、左肩ベルト４０に取り付けられる第３係合部４３と、乳幼児保持具８の連結ベルト９０の先端部に取り付けられる第３被係合部９１とを連結させる。長さ調節部４４の長さ調節ベルト４４２（図５）を調節することにより、右前身頃部材５０の高さ位置を調整することが可能である。
【００５７】
最後に、右前身頃部材５０および左前身頃部材６０を重ね合わせた状態で第１連結部を連結する。具体的には、右前身頃部材５０の表面に設けられる第１係合部５３と、左前身頃部材６０の張り出し部６１０に設けられる第１被係合部６３とを連結する。
【００５８】
このような構成により、重ねられた右前身頃部材５０および左前身頃部材６０と、着用者との間で乳幼児を保持することができるため、乳幼児を確実に保持することができ、安全性を向上させることができる。さらに、乳幼児は、乳幼児保持具８で胴部が保持された状態で、親側装着具２に連結されるため、さらに安全性を向上させることができる。
【００５９】
また、従来の子守帯は、乳幼児を子守帯で保持する場合、両肩ベルトを肩に掛ける前に乳幼児を抱っこして、子守帯本体と装着者との間に入れた後で、両肩ベルトを肩に掛けなければならず、親の負担が多大なものであった。しかし、本実施の形態では、右前身頃部材５０は右肩ベルト３０に連結され、左前身頃部材６０は左肩ベルト４０に連結されている。これにより、乳幼児を子守帯１で保持する場合に、一方の肩ベルトを肩に掛けた状態で、乳幼児をのせおろしすることができるため、わざわざ両肩ベルト３０，４０を外す必要がなく、親側の負担を軽減することができる。
【００６０】
また、従来の子守帯では、両肩ベルト３０，４０を装着したあとでなければブリッジベルト３５を連結することができず、一人では装着しにくかった。しかし、本実施の形態では、右前身頃部材５０は右肩ベルト３０に連結され、左前身頃部材６０は左肩ベルト４０に連結されていることで、肩ベルト３０，４０が左右に広く開くため、両肩ベルト３０，４０を装着する前にブリッジベルト３５を連結して、両肩ベルト３０，４０を両肩に掛けることができる。
【００６１】
以上、乳児の場合について説明した。幼児の場合は、乳児よりも股幅寸法が大きいため、股幅調節部材１００の股幅寸法を大きくする必要がある。具体的には、図３を参照して、第１股支持部５５の第１面ファスナ５８と腰ベルト７０の第２面ファスナ７１０を連結させ、第２股支持部６５の第１面ファスナ６８と腰ベルト７０の第２面ファスナ７１１を連結させる。これにより、股幅調節部材１００の股幅寸法を大きくすることができる。
【００６２】
（斜め抱きについて）
図１６〜図１９を参照して、斜め抱きをする方法について説明する。
【００６３】
斜め抱きは、たとえば、首すわり前の乳幼児に対して行う。斜め抱きの場合は、腰ベルト７０と右前身頃部材５０および左前身頃部材６０の連結部分の横方向の長さを大きくする必要がある。そのため、幼児を縦抱きする場合と同様に、股幅調節部材１００の股幅寸法を大きくする必要がある。具体的には、図３を参照して、第１股支持部５５の第１面ファスナ５８と腰ベルト７０の第２面ファスナ７１０を連結させ、第２股支持部６５の第１面ファスナ６８と腰ベルト７０の第２面ファスナ７１１を連結させる。これにより、腰ベルト７０と右前身頃部材５０および左前身頃部材６０の連結部分を大きくすることができる。
【００６４】
このように、図１６に示すように、腰ベルト７０と右前身頃部材５０および左前身頃部材６０の連結部分を大きくした状態で、親の腰に腰ベルト７０の第１腰当て部７１を当て、雌バックル７３および雄バックル７４を連結して、腰ベルト７０を装着する。腰ベルト７０以外の親側装着具２は、すべて腰ベルト７０の前方から垂れ下がっている状態である。
【００６５】
次に、図１７に示すように、右肩ベルト３０を着用者の左肩に掛けて、左肩ベルト４０は右肩に掛ける。この場合、右前身頃部材５０の第１係合部５３と左前身頃部材６０の第１被係合部６３（第１連結部）は、連結させないでおく。この状態のまま、乳幼児保持具８で胴部を保持した乳幼児を抱きかかえる。
【００６６】
図１８に示すように、乳幼児保持具８で胴部を保持した乳幼児を、右前身頃部材５０と左前身頃部材６０の間に挿入して、乳幼児の両足を右前身頃部材５０と左前身頃部材６０の間から左方へ出す。
【００６７】
図１９に示すように、乳幼児保持具８の上方部分と、右，左肩ベルト３０，４０とを第３連結部で連結する。具体的には、右肩ベルト３０の第３係合部３３と、乳幼児保持具８の連結ベルト９０の先端部に取り付けられた第３被係合部９２とを連結させる。この場合、長さ調節部３４の長さ調節ベルト３４２（図５）を調節することにより、右前身頃部材５０の高さ位置を調整することが可能である。
【００６８】
同様に、左肩ベルト４０に取り付けられる第３係合部４３と、乳幼児保持具８の連結ベルト９０の先端部に取り付けられた第３被係合部９１とを連結させる。この場合もまた、長さ調節部４４の長さ調節ベルト４４２（図５）を調節することにより、左前身頃部材６０の高さ位置を調整することが可能である。乳幼児保持具８の第３被係合部９１は、第３被係合部９２よりも外側に位置するため、右肩ベルト３０の長さ調節部４４の長さを左肩ベルト４０の長さ調節部３４の長さよりも長くすることが望ましい。
【００６９】
最後に、乳幼児保持具８の背面部分と、左前身頃部材６０とを連結する第４連結部で連結する。具体的には、乳幼児保持具８の背面の第４係合部９３と、左前身頃部材６０の端部に取り付けられる第１被係合部６３とを連結させる。
【００７０】
このような構成により、右前身頃部材５０と左前身頃部材６０との間で乳幼児を斜め抱きで保持することができるため、乳幼児を確実に保持することができ、安全性を向上させることができる。さらに、乳幼児は、乳幼児保持具８で胴部が保持された状態で、親側装着具２に連結されるため、さらに安全性を向上させることができる。また、乳幼児の頭部が３箇所で連結されるため、頭部がずれることなく安定して保持することができる。
【００７１】
＜子守帯の他の部材について＞
（補助シートについて）
乳幼児保持具８に取り付けられる部材として、補助シートがある。補助シートは、首すわり前の新生児の場合に使用する部材であり、適度な弾性を有する芯材を内部に含む。補助シートは、使用時に乳幼児の頭部を覆うヘッドサポートと、ヘッドサポートの下方に位置し、乳幼児の背を背後から支持する背中保持部材とを含む。補助シートは、図１０に示す乳幼児保持具８の内側に取り付けられる。
【００７２】
（ヘッドレストについて）
両肩ベルト３０，４０に取り付けられる部材として、ヘッドレストがある。ヘッドレストは、たとえば、薄い布製材料で形成される。ヘッドレストは、その上端が図８に示すホック部３６，４６に取り付けられ、その下端が乳幼児保持具８の上端に取り付けられる。ヘッドレストは、乳幼児が寝た場合などに装着することができる。
【００７３】
＜実施の形態２＞
図２０〜図２３を参照して、実施の形態２に係る親側装着具２Ａについて説明する。図２０，図２１に示すように、実施の形態２における子守帯１Ａは、基本的には、図２〜４に示す実施の形態１の親側装着具２と同様の構成を備えているが、股幅調節部材１００において異なる。なお、図２０，図２１において、子守帯１Ａの左右方向における中央部を内方、中央部と反対側の方向を外方という。
【００７４】
実施の形態１の股幅調節部材１００は、連結箇所を変えることで、股幅寸法を変えていた。これに対し、実施の形態２の股幅調節部材１００Ａは、連結箇所を変えずに、股幅寸法を変えることができる。
【００７５】
本実施の形態に係る股幅調節部材１００Ａは、第１股支持部５５Ａと第２股支持部６５Ａとを含む。第１股支持部５５Ａは、右肩ベルト３０側に設けられ、右前身頃部材５０の幅狭部分５２の側縁部に沿って設けられる。第２股支持部６５Ａは、左肩ベルト４０側に設けられ、左前身頃部材６０の幅狭部分６２の側縁部に沿って設けられる。
【００７６】
第１股支持部５５Ａは、布製部材によって構成されている。第１股支持部５５Ａは、たとえば、湾曲した略三角形状である。具体的には、図２１を参照して、第１股支持部５５Ａは、頂点５５０と、底辺５５１と、頂点５５０と底辺５５１の外方側の端部を結ぶ外辺５５２と、頂点５５０と底辺５５１の内方側の端部を結ぶ内辺５５３とから囲まれる領域である。内辺５５３は、幅狭部分５２に沿う上内辺５５３ａと、腰ベルト７０上に重ねられる下内辺５５３ｂとを有する。上内辺５５３ａは、幅狭部分５２に縫い付けられている。これに対し、下内辺５５３ｂは、腰ベルト７０に縫着されていない。底辺５５１は、腰ベルト７０に縫着されている。
【００７７】
さらに、第１股支持部５５Ａは、幅方向の中央領域において縦方向に延びる折り曲げ線５５４を含む。折り曲げ線５５４は、たとえば、縫い目線により形成されている。ここで、縦方向とは、第１股支持部５５Ａの幅方向に対する縦方向であり、第１股支持部５５Ａが傾斜している場合は、折り曲げ線５５４は第１股支持部５５Ａの縦方向に沿って傾斜する。折り曲げ線５５４は、その上下端が股幅調節部材１００Ａの外側縁に交差する湾曲線である。具体的には、折り曲げ線５５４は、頂点５５０から底辺５５１および外辺５５２の交点に向かって湾曲する形状である。
【００７８】
第１股支持部５５Ａは、その領域で折り曲げ線５５４で区切られ、内方に位置する領域を内方領域５５６、外方に位置する領域を外方領域５５５とを含む。外方領域５５５は、たとえば、略三日月形状である。外方領域５５５は、適度な弾性を有する芯材が内包されている。外方領域５５５の芯材は、たとえば、発砲ウレタンであることが好ましい。これにより、外方領域５５５は、内方領域５５６よりも硬く形成されている。
【００７９】
第１股支持部５５Ａと同様に、第２股支持部６５Ａは、布製部材によって構成されている。第２股支持部６５Ａは、たとえば、湾曲した略三角形状である。具体的には、第２股支持部６５Ａは、頂点６５０と、底辺６５１と、底辺６５１の外方側の端部と頂点６５０とを結ぶ外辺６５２と、底辺６５１の内方側の端部と頂点６５０とを結ぶ内辺６５３とから囲まれる領域である。内辺６５３は、幅狭部分６２に沿う上内辺６５３ａと、腰ベルト７０上に重ねられる下内辺６５３ｂとを有する。上内辺６５３ａは、幅狭部分６２に縫い付けられている。これに対し、下内辺６５３ｂは、腰ベルト７０に縫着されていない。底辺６５１は、腰ベルト７０に傾斜して縫着されている。
【００８０】
さらに、第２股支持部６５Ａは、幅方向の中央領域において縦方向に延びる折り曲げ線６５４を含む。折り曲げ線６５４は、たとえば、縫い付けられることにより形成されている。ここで、縦方向とは、第２股支持部６５Ａの幅方向に対する縦方向であり、第２股支持部６５Ａが傾斜している場合は、折り曲げ線６５４は第２股支持部６５Ａの縦方向に沿って傾斜する。折り曲げ線６５４は、その上下端が股幅調節部材の外側縁に交差する湾曲線である。具体的には、折り曲げ線６５４は、頂点６５０から底辺６５１および外辺６５２の交点に向かって湾曲する形状である。
【００８１】
第２股支持部６５Ａは、その領域で折り曲げ線６５４で区切られ、内方に位置する領域を内方領域６５６、外方に位置する領域を外方領域６５５とを含む。外方領域６５５は、たとえば、略三日月形状である。具体的には、外方領域６５５は、適度な弾性を有する芯材が内包されている。外方領域６５５の芯材は、たとえば、発砲ウレタンであることが好ましい。これにより、外方領域６５５は、内方領域６５６よりも硬く形成されている。
【００８２】
また、左前身頃部材６０の中央位置には、右前身頃部材５０のメッシュ生地６７と重なる位置に貫通孔が形成されており、貫通孔には、メッシュ生地５７Ａが縫い付けられている。
【００８３】
図２２，２３を参照して、親側装着具２Ａを着用者に着用した場合について説明する。図２２，２３において、乳幼児を破線で示している。
【００８４】
図２２に示すように、第１股支持部５５Ａおよび第２股支持部６５Ａを折り曲げ線５５４，６５４で折り曲げずにそのままの状態で着用者に着用すると、股幅調節部材１００Ａの股幅寸法Ｌ３は大きくなる。これに対し、図２３に示すように、着用者に親側装着具２を着用した状態で、外方領域５５５，６５５を内側に押し込むと、折り曲げ線５５４，６５４を境界に折れ曲がり、股幅調節部材１００Ａの股幅寸法Ｌ４が小さくなる。
【００８５】
このように、本実施の形態の股幅調節部材１００Ａは、連結箇所を変えずに、折り曲げ線５５４，６５４で折り曲げるだけでよいため、簡単に股幅寸法を変えることができる。乳幼児の体が小さい場合は、股幅寸法を小さくし、斜め抱きの場合、または、乳幼児の体が大きくなった場合は、股幅寸法を大きくすることができる。
【００８６】
また、上述のように、外方領域５５５，６５５には、適度な弾性を有する芯材が内包されている。図２２に示すように、外方領域５５５，６５５を折り曲げずに使用する場合、芯材を内包する外方領域５５５，６５５が、乳幼児の臀部または太腿等を下方から支えることになるため、第１股支持部５５Ａおよび第２股支持部６５Ａを広げた状態が崩れず、弾力性を有した状態で保持することができる。また、図２３に示すように、外方領域５５５，６５５を折り曲げ線５５４，６５４で折り曲げた場合、芯材が内包されていない内方領域５５６，６５６のみが折れ曲がり、芯材を内包する外方領域５５５，６５５の形状は変化しないため、股幅調節部材１００Ａを折り畳んだ状態で容易に保持することができる。
【００８７】
なお、実施の形態１，２において、子守帯は、乳幼児保持具８を備えるとして説明したが、必ずしも乳幼児保持具８を備えている必要はない。子守帯は、少なくとも親側装着具２、２Ａを備えていればよく、乳幼児は直接、親側装着具２，２Ａに保持されていればよい。
【００８８】
また、実施の形態２において、親側装着具２，２Ａは、右前身頃部材５０と左前身頃部材６０とを備えているとした。しかし、右前身頃部材５０および左前身頃部材６０に代えて、乳幼児を包み込む子守帯本体が設けられていればよい。その場合、股幅調節部材１００は、子守帯本体の下方部分の両側縁部および腰ベルト７０に接続されていればよい。
【００８９】
また、実施の形態１，２において、右前身頃部材５０が着用者側に設けられ、左前身頃部材６０が外側に設けられるとしたが、その形状に限定されない。すなわち、左前身頃部材６０が着用者から見て内側に設けられ、右前身頃部材５０が着用者から見て外側に設けられてもよい。
【００９０】
以上、図面を参照してこの発明の実施の形態を説明したが、この発明は、図示した実施の形態のものに限定されない。図示した実施の形態に対して、この発明と同一の範囲内において、あるいは均等の範囲内において、種々の修正や変形を加えることが可能である。
【符号の説明】
【００９１】
１，Ａ  子守帯、２，２Ａ  親側装着具、８  乳幼児保持具、３０  右肩ベルト、４０  左肩ベルト、３１，４１  第１ベルト、３２，４２  第２ベルト、３３，４３  第３係合部（第３連結部）、３４，４４  長さ調節部、３５  ブリッジベルト、３６，４６  ホック部、５０  右前身頃部材、６０  左前身頃部材、５１，６１  幅広部分、５２，６２  幅狭部分、５３  第１係合部（第１連結部）、５４，６４  補助布、５５，５５Ａ  第１股支持部、５６  ループ部材（第２連結部）、５７，６７，８９  メッシュ生地、５８，６８  第１面ファスナ、５９  第３面ファスナ、６３  第１被係合部（第１連結部、第４連結部）、６５，６５Ａ  第２股支持部、７０  腰ベルト、７１  第１腰当て部、７２  第２腰当て部、７３，８５，８６，３５０  雌バックル、７４，８３，８４，３５１  雄バックル、７５  腰帯体、８０  背当て部、８１  足当て部、８２  前当て部、８７  左腕部、８８  右腕部、９０  連結ベルト、９１，９２  第３被係合部（第３連結部）、９３  第４係合部（第４連結部）、１００，１００Ａ  股幅調節部材、３４０，４４０  連結部、３４１，４４１  覆い部、３４２，４４２  長さ調節ベルト、３４３，４４３  長さ調節フック、３４４，４４４，８０３，８０４  固定部、３４５，４４５  貫通孔、３５２，３５３  帯体、５１０，６１０  張り出し部、５５０，６５０  頂点、５５１，６５１  底辺、５５２，６５２  外辺、５５３，６５３  内辺、５５３ａ，６５３ａ  上外辺、５５３ｂ，６５３ｂ  下外辺、５５４，６５４  折り曲げ線、５５５，６５５  外方領域、５５６，６５６  内方領域、７１０，７１１  第２面ファスナ、８０１  左上端部、８０２  右上端部。
【図１】
2019076629.tif 000003
【図２】
2019076629.tif 000004
【図３】
2019076629.tif 000005
【図４】
2019076629.tif 000006
【図５】
2019076629.tif 000007
【図６】
2019076629.tif 000008
【図７】
2019076629.tif 000009
【図８】
2019076629.tif 000010
【図９】
2019076629.tif 000011
【図１０】
2019076629.tif 000012
【図１１】
2019076629.tif 000013
【図１２】
2019076629.tif 000014
【図１３】
2019076629.tif 000015
【図１４】
2019076629.tif 000016
【図１５】
2019076629.tif 000017
【図１６】
2019076629.tif 000018
【図１７】
2019076629.tif 000019
【図１８】
2019076629.tif 000020
【図１９】
2019076629.tif 000021
【図２０】
2019076629.tif 000022
【図２１】
2019076629.tif 000023
【図２２】
2019076629.tif 000024
【図２３】
2019076629.tif 000025